(57)【要約】【課題】制御基板の不適切な交換や改造が行われることを効果的に防止でき、かつ、制御基板ケースが開封された場合、そのことを確実に判別できる制御基板ケースのロック機構を提供する。【解決手段】制御基板ケース１の蓋板３０を本体部１０に固定するためのロックレバー７０と、本体部１０の収容部１１内に設けた中間リブ２０と、蓋板３０の内面３０ｆに設けた上リブ４０及び下リブ４５と、本体部１０に設けた操作用孔１８と、を備え、予め下リブ４５内にロックレバー７０を係止させてなる蓋板３０を本体部１０に取り付け、その状態で、制御基板ケース１の外部から操作用孔１８に挿入した汎用の工具１００でロックレバー７０を移動させて上リブ４０及び下リブ４５と中間リブ２０とに跨るロック位置に係合させることで、本体部１０に対する蓋板３０のロックを施すように構成した。【選択図】図６
2013131682.tif 000002
【特許請求の範囲】
【請求項１】
制御基板を収容する収容部を有する本体ケースと、前記収容部を覆うように前記本体ケースに取り付けられるカバー部材とからなる制御基板ケースにおいて、前記本体ケースに取り付けた前記カバー部材を固定することで、前記制御基板ケースを開閉不能にロックするロック機構であって、
前記ロック機構は、
前記本体ケースと前記カバー部材との間に介在することで、前記カバー部材を前記本体ケースに固定するロック部材と、
前記本体ケースの前記収容部内に設けた前記ロック部材を係合させる第１被係合部と、
前記カバー部材の内面に設けた前記ロック部材を係合させる第２被係合部と、
前記本体ケースに設けられて、前記制御基板ケースの外部から前記収容部内の前記ロック部材を操作するための操作用孔と、を備え、
予め前記第２被係合部に前記ロック部材を係止した前記カバー部材を前記本体ケースに取り付け、その状態で、前記制御基板ケースの外部から前記操作孔に挿入した工具で前記ロック部材を移動させて前記第１被係合部と前記第２被係合部に跨るロック位置に係合させることで、前記本体ケースに対する前記カバー部材のロックを施すように構成した
ことを特徴とする制御基板ケースのロック機構。
【請求項２】
前記第１被係合部と前記第２被係合部はそれぞれ、前記ロック部材をスライド移動可能に挿入させる筒状の第１挿入部と第２挿入部とを有しており、
前記第１挿入部と第２挿入部は、前記カバー部材を前記本体ケースに取り付けることで互いが一直線状に配置され、
前記ロック部材と前記第１被係合部又は前記第２被係合部との間には、前記ロック位置で前記ロック部材を係止する係止機構が設けられており、
前記工具で押されて移動する前記ロック部材が前記第１挿入部と前記第２挿入部の間をスライド移動することで前記ロック位置に係合し、該ロック位置で前記係止機構によって係止される
ことを特徴とする請求項１に記載の制御基板ケースのロック機構。
【請求項３】
前記本体ケースの前記第１被係合部又はその近傍には、前記制御基板ケースに関する固体識別情報を表示してなる第１表示部が設けられており、
前記ロック部材には、前記第１表示部と同一の表示内容を有する第２表示部が設けられており、
前記ロック部材が前記ロック位置に係合した状態で、前記第１表示部と前記第２表示部が並列して配置される
ことを特徴とする請求項１又は２に記載の制御基板ケースのロック機構。
【発明の詳細な説明】
【技術分野】
【０００１】
本発明は、電子機器などの筐体内に設置される制御基板を収容するための制御基板ケースにおいて、該制御基板ケースを開閉不能にロックするためのロック機構に関する。
【背景技術】
【０００２】
自動販売機や輸送用の機器などをはじめとする各種の装置に用いられる電子機器には、該電子機器の筐体内に設置した主制御回路を含む制御基板を備えている。このような制御基板は、電子機器の動作を制御するための重要な回路や電気素子などを搭載した部品であるため、電子機器に関する高度の知識を有していない使用者が不用意に取り外したり改良を加えたりすると、当該電子機器の正常な動作を確保できなくなるおそれが高い。そのため、電子機器の使用における安全性の確保や不正行為の防止などのため、上記のような制御基板に対しては、電子機器の使用段階において使用者による当該制御基板へのアクセスを確実に防止できるような措置を施すことが必要となる。このための対策として、従来、当該制御基板を、電子機器の筐体内で外部からアクセスし難い位置、例えば、電子機器の筐体内において構成部品の大部分を取り外さなければ到達できない箇所に配置することなどが行われている。
【０００３】
しかしながら、電子機器の筐体内の構成部品のレイアウトによっては、上記のように制御基板を筐体内のアクセスし難い位置に配置することができない場合も多い。そこで、他の手段として、制御基板を専用のケース（制御基板ケース）に収容し、該制御基板ケースを溶着、溶接、カシメなどの再開封が不能な手段で密閉することが考えられる。これによれば、電子機器の使用段階で制御基板にアクセスするには、制御基板ケース自体を破壊しなければならない。そのため、制御基板へのアクセスを効果的に抑制できるうえ、万一ケースを破壊されて、制御基板の交換や改造などが行われた場合には、電子機器のメンテナンスや修理の際にそのことを見分けることが可能となる。
【０００４】
しかしながら、上記のように制御基板ケースを開封不能な手段で密封すると、下記の点が問題となる。すなわち、制御基板には、該制御基板と装置各部との間で信号や電源を送るための配線類が繋がっているが、制御基板ケースを上記の溶着などの手段で密閉する場合には、断線などを防止するために、配線類を十分に整理して配設しなければならず、その作業に手間と時間を要する。また、制御基板ケースを密封した後で、制御基板ケースの内部を含む配線処理の良否を判断する必要があるが、制御基板ケースが密封されていると、その判断が困難である。更に、制御基板ケース内の制御基板に何らかの不具合が発見された場合には、制御基板ケースを開封して制御基板の交換などが必要となるが、これには、制御基板ケースの密封構造を破壊しなければならず、その作業に手間と時間がかかる上、制御基板ケース及びその付属部品などの再利用ができないことで、経済的な損失が大きい。
【０００５】
また、電子機器に故障などの不具合が生じた場合には、その原因を迅速かつ的確に特定しなければならないが、そのためには、制御基板に対して交換や改造などが行われたことを判別する手段を設けておくことが必要となる。このための手段として、制御基板ケースの封印に上記の溶着などの手段を用いずに、シールなどの簡易な手段で封印しておき、制御基板へのアクセスを当該シールの破断によって見分けることが考えられる。しかしながら、シールによる封印は簡単に破断できるので、制御基板へのアクセスを防止する効果が薄いうえに、シールを偽造するなどして貼り替えてしまえば、制御基板ケースの開封が行われたことも見分けられないおそれがある。なお、上記のような制御基板ケースの密封構造に関連する従来技術として、例えば特許文献１には、スライド式の封印部材を用いて制御基板ケースを封印する構造が開示されている。
【先行技術文献】
【特許文献】
【０００６】
【特許文献１】特許４５８３０８１号公報
【発明の概要】
【発明が解決しようとする課題】
【０００７】
特許文献１に開示されたスライド式封印部材を用いた技術では、スライド部材が制御基板ケースの外側に設けられているため、当該スライド部材を破壊すれば制御基板ケースを簡単に開封可能である。また、開封の際にスライド部材を破壊した場合でも、別の製品からスライド部材を取り外し、破壊したスライド部材と交換すれば、制御基板ケースの開封が行われたことの痕跡が残らない。そのため、電子機器の使用段階での制御基板の交換や改造を完全に防止することはできず、修理やメンテナンスの際に制御基板の交換や改造が行われたことを見分けることが出来ないおそれもある。
【０００８】
本発明は上述の点に鑑みてなされたものであり、その目的は、電子機器に搭載するための制御基板を収容してなる制御基板ケースにおいて、該制御基板ケースに簡単な構造で確実なロックを施すことが可能なロック機構を設けることで、制御基板の不適切な交換や改造などが行われることを効果的に防止でき、かつ、制御基板ケースが開封された場合には、そのことを確実に判別できるようにすることにある。
【課題を解決するための手段】
【０００９】
上記課題を解決するための本発明は、制御基板（５０）を収容する収容部（１１）を有する本体ケース（１０）と、収容部（１１）を覆うように本体ケース（１０）に取り付けられるカバー部材（３０）と、からなる制御基板ケース（１）において、本体ケース（１０）に取り付けたカバー部材（３０）を固定することで、制御基板ケース（１）を開閉不能にロックするロック機構（６０）であって、当該ロック機構（６０）は、本体ケース（１０）とカバー部材（３０）との間に介在することで、カバー部材（３０）を本体ケース（１０）に対して固定するロック部材（７０）と、本体ケース（１０）の収容部（１１）内に設けたロック部材（７０）を係合させる第１被係合部（２０）と、カバー部材（３０）の内面（３０ｆ）に設けたロック部材（７０）を係合させる第２被係合部（４０，４５）と、本体ケース（１０）に設けられて、制御基板ケース（１）の外部から収容部（１１）内のロック部材（７０）を操作するための操作用孔（１８）と、を備え、予め第２被係合部（４０，４５）にロック部材（７０）を係合させてなるカバー部材（３０）を本体ケース（１０）に取り付け、その状態で、制御基板ケース（１）の外部から操作孔（１８）に挿入した工具（１００）でロック部材（７０）を移動させて第１被係合部（２０）と第２被係合部（４０，４５）に跨るロック位置に係合させることで、本体ケース（１０）に対するカバー部材（３０）のロックを施すように構成したことを特徴とする。
【００１０】
また、上記ロック機構の一実施態様として、上記の第１被係合部（２０）と第２被係合部（４０，４５）はそれぞれ、ロック部材（７０）をスライド移動可能に挿入させる筒状の第１挿入部（２１）と第２挿入部（４２，４６）とを有しており、第１挿入部（２１）と第２挿入部（４２，４６）は、カバー部材（３０）を本体ケース（１０）に取り付けると互いが一直線状に並んで配置され、ロック部材（７０）と第１被係合部（２０）又は第２被係合部（４０，４５）との間には、ロック位置でロック部材（７０）を係止する係止機構（７６，４８）が設けられており、工具（１００）で押されて移動するロック部材（７０）が第１挿入部（２１）と第２挿入部（４２，４６）の間をスライド移動することでロック位置に係合し、該ロック位置で係止機構（７６，４８）によって係止されるように構成してよい。
【００１１】
本発明にかかる制御基板ケースのロック機構では、本体部の収容部内に設けた第１被係合部と、カバー部材の内面に設けた第２被係合部とに跨るロック位置にロック部材を係合させることで、制御基板ケースのロックを施すようにしている。この構成によれば、ロック部材及び該ロック部材が係合する第１、第２被係合部が制御基板ケースの内部（収容部の内部）に配置されていることで、制御基板ケースの外部からロック機構を視認及び操作することができないようにすることが可能となる。したがって、ロック後の制御基板ケースの開封を極めて行い難くすることができる。これにより、当該制御基板ケースを搭載した電子機器の使用段階（運用段階）において、制御基板ケースが正当な理由無く開封されることを効果的に防止できるので、制御基板の不適切な交換や改造が行われる確率を低く抑えることができる。
【００１２】
また、このロック機構では、制御基板ケースの外部から収容部内のロック部材を操作するための操作用孔を備え、該操作用孔に挿入した工具でロック部材を移動させて第１被係合部と第２被係合部に跨るロック位置に係合させるようにしている。そして、この場合に用いる工具としては、操作用孔に挿入可能な工具であれば、専用の工具には限らず、例えば千枚通しのような一般的な工具を使用することが可能である。これにより、ロック機構による制御基板ケースのロックには、専用の工具や設備が不要で、かつ作業者の熟練も不要となる。したがって、上記の制御基板ケースは、ロック部材による最終的なロックを施す前の状態で在庫として保管しておき、ロック部材による最終的なロックは、制御基板ケースを取り付けた電子機器の運用を開始する直前に現場で行うことが可能となる。これにより、制御基板ケース及びそれを搭載する電子機器に対して、極めて効率的な生産管理及び在庫管理を行うことが可能となる。
【００１３】
また、上記の制御基板ケースのロック機構では、本体ケース（１０）の第１被係合部（２０）又はその近傍には、制御基板ケース（１）に関する固体識別情報を表示してなる第１表示部（１７）が設けられており、ロック部材（７０）には、第１表示部（１７）と同一の表示内容を有する第２表示部（７２）が設けられており、ロック部材（７０）がロック位置に係合した状態で、第１表示部（１７）と第２表示部（７２）が並列して配置されるようにしてよい。
【００１４】
この構成によれば、本体部の個体識別表示がなされた第１表示部と、ロック部材の個体識別表示がなされた第２表示部とを同一の表示内容として、それらを並列して配置したことで、万一、ロック機構が破壊されるなどしてロック部材が別の制御基板ケースの固体と交換された場合でも、第１表示部と第２表示部の個体識別表示が異なることで、ロック部材が交換されていることを見分けることが可能となる。したがって、制御基板の交換や改造が行われた場合には、電子機器の修理やメンテナンスの際にそのことを容易且つ確実に判別できる。
なお、上記の括弧内の符号は、後述する実施形態における構成要素の符号を本発明の一例として示したものである。
【発明の効果】
【００１５】
本発明にかかる制御基板ケースのロック機構によれば、制御基板の不適切な交換や改造が行われることを効果的に防止でき、かつ、万一、制御基板ケースが開封された場合には、そのことを確実に判別することができる。
【図面の簡単な説明】
【００１６】
【図１】本発明の一実施形態にかかるロック機構を備えた制御基板ケースを開いた状態で示す斜視図である。
【図２】ロック機構でロックされた状態の制御基板ケースを示す斜視図である。
【図３】制御基板ケースの縦断面図であり、図２のＸ−Ｘ矢視断面を示す図である。
【図４】ロックレバーを示す図で、（ａ）は、正面側から見た斜視図、（ｂ）は、背面側から見た斜視図である。
【図５】蓋板の内面側を示す斜視図で、（ａ）は、蓋板にロックレバーを取り付ける前の状態、（ｂ）は、蓋板にロックレバーを取り付けた状態を示す図である。
【図６】制御基板ケースを閉じてロック機構によるロックを施すまでの手順を示す図である。
【図７】蓋板の内面側の一部を示す部分拡大斜視図である。
【図８】操作用孔から工具を挿入する手順を説明するための図である。
【発明を実施するための形態】
【００１７】
以下、添付図面を参照して本発明の実施形態を詳細に説明する。図１は、本発明の一実施形態にかかるロック機構６０を備えた制御基板ケース１を開いた状態で示す斜視図である。また、図２は、ロック機構６０でロックされた状態の制御基板ケース１を示す斜視図である。図３は、制御基板ケース１の縦断面図であり、図２のＸ−Ｘ矢視断面を示す図である。なお、図２では、制御基板ケース１の内部構成を示すために、蓋板３０を点線で図示している。また、以下の説明では、上又は下というときは、図１及び図２に示すように、制御基板ケース１を、後述する蓋板３０の外面３０ｇが横向きとなるように設置した場合の上又は下を指すものとする。
【００１８】
これらの図に示す制御基板ケース１は、制御基板５０を収容するための収容部１１を有する本体部（本体ケース）１０と、該本体部１０に被せて取り付ける蓋板（カバー部材）３０とで構成されている。本体部１０は、四方が側壁１３（１３ａ〜１３ｄ）で囲まれた薄型の直方体状の箱体として形成されており、内側の収容部１１は、四角形状の凹部として形成されている。本体部１０の前面には、収容部１１を開く長方形状の開口部１２が設けられている。また、本体部１０の上下の側壁１３ａ，１３ｂの外面には、該本体部１０を電子機器の筐体（図示せず）の内部などに取り付けるための取付片１５が形成されている。取付片１５は、本体部１０の上下の側壁１３ａ，１３ｂにおける両外側の合計４箇所に設けられており、各取付片１５は、ボルト（図示せず）を挿通させる溝を有する突出片として形成されている。また、開口部１２の一方の端辺１２ｃに沿う位置には、対応する蓋板３０の端辺３０ｃに設けた差込片３４を差し込むためのスリット状の差込部１４が形成されている。
【００１９】
収容部１１内の底面（図１に示す奥側の面）１１ａには、制御基板５０が設置されている。制御基板５０は、略矩形状の平板からなる基板部５１と、該基板部５１の表面に実装された回路素子（チップ素子）５３とで構成されている。この制御基板５０は、図３に示すように、収容部１１内の底面１１ａに立設した複数のボス部１１ｂの上端にネジ５５の締結によって取り付けられている。ボス部１１ｂは、基板部５１の四隅それぞれに対応して設けられている。また、図１及び図２に示すように、制御基板５０の基板部５１には、コネクタ５７で接続された配線５６が取り付けられている。配線５６は、本体部１０の側壁１３ｃに設けた貫通孔（図示せず）を介して収容部１１の外部から内部へ導入されており、その先端がコネクタ５７に繋がれている。
【００２０】
図４は、ロック機構６０の構成部品であるロックレバー７０を示す図で、（ａ）は、正面側から見た斜視図、（ｂ）は、背面側から見た斜視図である。図５は、蓋板３０の内面３０ｂ側を示す斜視図で、（ａ）は、ロックレバー７０を取り外した状態、（ｂ）は、ロックレバー７０を後述する下リブ４５内に係合させた状態を示す図である。図５などに示すように、蓋板３０は、本体部１０の開口部１２の内周に沿う外形を有してなる略長方形状の板状部材である。蓋板３０は、その全体が透明又は半透明の合成樹脂材で形成されている。この蓋板３０は、開口部１２に被せて取り付けられることで、該開口部１２を隙間無く塞ぐようになっている。蓋板３０の一の端辺３０ｃには、上記の差込片３４が設けられている。差込片３４の内側には、端辺３０ｃと平行に延びる段部３５が形成されており、差込片３４の全体が差込部１４に挿入されることで、段部３５が開口部１２の端辺１２ｃに当接するようになっている。また、図５に示すように、蓋板３０の内面３０ｆにおける上下の端辺３０ａ，３０ｂ及び差込片３４を設けた端辺３０ｃの位置には、各端辺３０ａ，３０ｂ，３０ｃに沿って延びる突起状の縁部３６が形成されている。
【００２１】
そして、収容部１１内の一方の側部（図１に示す右側の側部）とそれに対向する蓋板３０の内面３０ｆとの間には、制御基板ケース１を開閉不能にロックするためのロック機構６０が設けられている。ロック機構６０は、図１乃至図５に示すように、本体部１０に取り付けた蓋板３０を固定するロックレバー（ロック部材）７０と、本体部１０の収容部１１内に設けたロックレバー７０を係合させる中間リブ（第１被係合部）２０と、蓋板３０の内面３０ｆに設けたロックレバー７０を係合させる上リブ４０及び下リブ４５（第２被係合部）と、本体部１０に設けた小径の貫通孔からなる操作用孔１８とを備えて構成されている。
【００２２】
ロックレバー７０は、図４に示すように、合成樹脂製の細片状の部材であって、長手方向の一端に設けた基部７１と、該基部７１の上側に一体形成された上部７５とを備えている。基部７１は、略直方体型の外形を有しており、基部７１におけるロックレバー７０の正面７０ａ側には、ロックレバー７０の固体識別番号をレーザー加工などで刻印してなる刻印部（第２表示部）７２が設けられている。また、基部７１の下端面７１ｂには、小径の凹部（図３参照）７３が形成されている。この凹部７３は、後述する工具１００の先端が挿入されて係合する部分である。また、ロックレバー７０の上部７５は、基部７１よりも薄型の部分であって、該上部７５におけるロックレバー７０の背面７０ｂ側には、ロックレバー７０の長手方向に延びる細溝７７と、該細溝７７内に形成された弾性を有する細片状の係合爪７６とが設けられている。係合爪７６は、その先端部７６ａがロックレバー７０の背面７０ｂから僅かに突出した状態で設けられており、先端部７６ａに作用する押圧力による弾性変形で、該先端部７６ａがロックレバー７０の背面７０ｂから突出しない位置まで細溝７７内に退避可能となっている。
【００２３】
一方、図１などに示すように、本体部１０の収容部１１内には、側壁１３ｄの内面から内側に突出する突出部１６が形成されている。突出部１６は、側壁１３ｄの上下方向の中間位置に設けた略直方体型の突起からなる。突出部１６の端面（開口部１２側の面）には、本体部１０の固体識別番号をレーザー加工などで刻印してなる刻印部（第１表示部）１７が設けられている。この刻印部１７には、ロックレバー７０の刻印部７２と同一の表示内容の刻印が施されている。また、本体部１０に設けた中間リブ２０は、突出部１６の内側面から収容部１１の内側に突出形成されている。この中間リブ２０は、収容部１１内の一方の側部において上下方向の略中間位置に設けられており、平面視の形状（上方から見た形状）が略台形型の部分からなる。さらにこの中間リブ２０の内側には、上下方向に貫通する挿入路（挿入部）２１が形成されている。挿入路２１は、上方から見て開口部１２側の端面とその両側面との三方が囲まれた長方形状で、ロックレバー７０の上部７５がこの挿入路２１に対して上下方向にスライド移動可能に係合するようになっている。
【００２４】
また、本体部１０の下側の側壁１３ｂには、本体部１０の外側から収容部１１内のロックレバー７０を操作するための操作用孔１８が設けられている。操作用孔１８は、側壁１３ｂを貫通する小径の貫通孔であって、収容部１１内の中間リブ２０に形成した挿入路２１の真下位置に設けられている。
【００２５】
一方、蓋板３０の内面３０ｆに設けた上リブ４０及び下リブ４５は、図５に示すように、端辺３０ｄの近傍の上下それぞれに設けられている。上リブ４０と下リブ４５は、上下方向に沿って直線状に延びる断面が略コ字型の突起として形成されており、間隙部４４を挟んでその上下に分割配置されている。上リブ４０と下リブ４５の内側（内部）には、上下方向に延びる矩形状の筒型に形成された挿入路４１，４６が設けられている。そして、本体部１０の開口部１２に蓋板３０を被せて取り付けた状態で、図３などに示すように、中間リブ２０が上リブ４０と下リブ４５との間の間隙部４４に配置され、上リブ４０の挿入路４１と中間リブ２０の挿入路２１と下リブ４５の挿入路４６とが上下方向に沿って直線状に連通する。
【００２６】
また、上リブ４０の内側壁（蓋板３０に対向する側壁）４２は、該上リブ４０の上端側を除く一部分にのみ設けられており、下リブ４５の内側壁４７も、該下リブ４５の下端側を除く一部分にのみ設けられている。そして、上リブ４０における内側壁４２が無い部分と、下リブ４５における内側壁４７が無い部分とには、内部の挿入路４１，４６が露出している。また、下リブ４５の内側壁４７には、ロックレバー７０の係合爪７６を弾性係合させる係合穴４８が形成されている。ロックレバー７０の係合爪７６が係合穴４８に弾性係合することで、ロックレバー７０が下リブ４５の挿入路４６内に係止されるようになっている。
【００２７】
また、下リブ４５の内側壁４７の上端辺（係合部）４９には、ロックレバー７０が上リブ４０及び下リブ４５と中間リブ２０とに跨って係合する位置（以下、この位置を「ロック位置」という。）で、ロックレバー７０の係合爪７６が係合するようなっている。ロックレバー７０の係合爪７６が上端辺４９に係合することで、ロックレバー７０が上記のロック位置で係止される。ロックレバー７０の係合爪７６と下リブ４５の上端辺４９とで、ロックレバー７０をロック位置に係止する係止機構が構成されている。
【００２８】
また、蓋板３０の内面３０ｆにおける下リブ４５の側部には、蓋板３０の固体識別番号をレーザー加工などで刻印してなる刻印部（第３表示部）３８が設けられている。この刻印部３８には、本体部１０の刻印部１７及びロックレバー７０の刻印部７２と同一の表示内容の刻印が施されている。そして、上記の本体部１０に設けた刻印部１７と、ロックレバー７０に設けた刻印部７２と、蓋板３０に設けた刻印部３８とは、蓋板３０を本体部１０の開口部１２に被せて取り付けた状態で、図４に示すように、蓋板３０の外面３０ｇ側から見て横方向に沿って一列に並列配置されるようになっている。
【００２９】
次に、上記構成のロック機構６０で制御基板ケース１を開閉不能にロックする手順を説明する。図６は、蓋板３０で制御基板ケース１を閉じてから、ロック機構６０によるロックを施すまでの手順を説明するための図である。本実施形態の制御基板ケース１では、まず、収容部１１内に制御基板５０を設置する。その一方で、蓋板３０の下リブ４５内にロックレバー７０を取り付けておく。これには、図５（ａ）及び図６（ａ）に示すように、下リブ４５の下端に設けた差込口４５ａにロックレバー７０を差し込んで上方へ挿入する。このとき、ロックレバー７０は、その刻印部７２を設けた側を蓋板３０の内面３０ｆ側に向けて、上端側（上部７５の先端側）を差込口４５ａに挿入する。これにより、ロックレバー７０の上部７５が下リブ４５の挿入路４６に挿入される。その状態から更にロックレバー７０を上側に押し込むと、図５（ｂ）及び図６（ｂ）に示すように、ロックレバー７０の係合爪７６が下リブ４５の係合穴４８に弾性係合することで、下リブ４５の挿入路４６内にロックレバー７０が係止される。このとき、ロックレバー７０の先端（上端）は、下リブ４５の上端辺４９よりも下側にあって、ロックレバー７０は下リブ４５から上方（間隙部４４側）に突出していない。
【００３０】
次に、ロックレバー７０が取り付けられた蓋板３０を本体部１０の開口部１２に被せて取り付ける。これには、まず、図１に示す蓋板３０の差込片３４を本体部１０の差込部１４に差し込むことで、蓋板３０の端辺３０ｃを開口部１２の端部１２ｃに係合させる。その後、蓋板３０の全体を開口部１２に被せる。これにより、図６（ｃ）に示すように、蓋板３０の上リブ４０と下リブ４５との間に本体部１０の中間リブ２０が配置されて、上リブ４０の挿入路４１と中間リブ２０の挿入路２１と下リブ４５の挿入路４６とが上下方向で直線状に連通する。また、その状態で、下リブ４５内に係止されたロックレバー７０の下端面７１ｂに設けた凹部７３が本体部１０の操作用孔１８の真上位置に配置される。
【００３１】
図６（ｃ）の状態まで組み立てた後、図８に示すように、例えば千枚通しのような細棒状の工具１００を本体部１０の操作用孔１８に差し込んで収容部１１内に挿入する。すると、工具１００の先端がロックレバー７０の凹部７３に係合してロックレバー７０が上方に持ち上げられる。これにより、ロックレバー７０が下リブ４５の挿入路４６を上方へ移動する。そして、図６（ｄ）及び図７に示すように、ロックレバー７０が上リブ４０及び下リブ４５と中間リブ２０とに跨って係合するロック位置で、ロックレバー７０の基部７１の上端面７１ａが中間リブ２０の下端辺２３に当接してロックレバー７０の上昇が停止する。さらにその位置で、ロックレバー７０の係合爪７６が下リブ４５の上端片（係合部）４９に係合することで、ロックレバー７０の下降が規制される。これにより、ロックレバー７０がロック位置で係止される。このロック位置では、ロックレバー７０が上リブ４０及び下リブ４５と中間リブ２０とに跨って係合することで、本体部１０の開口部１２に取り付けた蓋板３０が開閉不能にロックされる。以上により、ロック機構６０による本体部１０に対する蓋板３０のロックが完了する。
【００３２】
本実施形態の制御基板ケース１は、完成した製品として電子機器などに搭載される前に、図６（ｃ）の状態まで予め組み立てておき、その状態で在庫として保管することができる。この状態では、制御基板ケース１の蓋板３０がロックされていないので、必要であれば本体部１０から蓋板３０を取り外して、収容部１１内の制御基板５０にアクセスすることができる。したがって、在庫としての保管中に制御基板５０の仕様変更などが生じた場合でも、制御基板ケース１を破壊せずに内部の制御基板５０にアクセスして制御基板５０の交換や改造などを行うことが可能となる。
【００３３】
そして、図６（ｃ）の状態で在庫として保管していた制御基板ケース１は、対象の電子機器に搭載して出荷される直前に、図６（ｄ）に示す工具１００によるロック工程を行うようにするとよい。これにより、電子機器に搭載して出荷した後は、何人も制御基板ケース１を開封することができないので、出荷後の使用段階において電子機器の筐体が開かれた場合でも、制御基板ケース１内の制御基板５０にアクセスされるおそれがない。
【００３４】
また、図６（ｄ）に示すロック機構６０のロックは、例えば千枚通しのような汎用性の高い工具１００を用いて行うことができ、かつ、該工具１００を本体部１０の操作用孔１８に差し込むという極めて簡単な作業で行うことができるので、専用の設備や工具などを必要とせず、且つ作業者の熟練も要しない。したがって、ロック機構６０のロックを施す作業は、電子機器を出荷する際の現場や設置現場でその場にいる作業員の手で行うことができる。このように、ロックを施す場所を選ばないことで、制御基板ケース１及びそれを搭載する電子機器に対して、極めて効率的な生産管理及び在庫管理を行うことが可能となる。
【００３５】
また、本実施形態の制御基板ケース１では、図２に示すように、蓋板３０を本体部１０の開口部１２に被せて取り付けた状態で、蓋板３０に設けた刻印部３８と、ロックレバー７０に設けた刻印部７２と、本体部１０に設けた刻印部１７とが横一列に並列配置されるように構成している。そして、蓋板３０が透明又は半透明になっていることで、刻印部３８，７２，１７の表示を蓋板３０の外側から視認することが可能である。したがって、万一、制御基板ケース１のロック機構６０が壊されるなどして制御基板ケース１が不正に開封されて、ロックレバー７０が他の制御基板ケースに取り付けられていた別の固体と交換された場合でも、刻印部３８，７２，１７の表示を確認すれば、当該交換が行われたことを容易且つ確実に判別することが可能となる。
【００３６】
以上説明したように、本実施形態の制御基板ケース１が備えるロック機構６０では、本体部１０の収容部１１内に設けた中間リブ（第１被係合部）２０と、蓋板（カバー部材）３０の内面３０ｆに設けた上リブ４０及び下リブ４５（第２被係合部）とに跨るロック位置にロックレバー（ロック部材）７０を係合させることで、制御基板ケース１のロックを施すようにしている。この構成によって、ロックレバー７０と、該ロックレバー７０が係合する上リブ４０及び下リブ４５と中間リブ２０とがいずれも制御基板ケース１の内部（収容部１１の内部）に配置されていることで、ロック機構６０によって蓋板３０のロックが施されていることを制御基板ケース１の外部から見て判り難くなっている。したがって、制御基板ケース１の開封を極めて行い難くすることができる。これにより、当該制御基板ケース１を搭載した電子機器の使用段階において、制御基板ケース１が正当な理由なく開封されることを効果的に防止できるので、制御基板５０の不適切な交換や改造が行われる確率を低く抑えることができる。
【００３７】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態に示す三個の刻印３８，７２，１７は、必ずしもすべて設ける必要はなく、いずれか２個のみを設けることも可能である。さらにいえば、刻印３８，７２，１７を省略して、ロック機構６０のみを設けることも可能である。また、刻印は、固体識別番号などを表示したものであって、かつ容易な改変が不可能な表示であれば、レーザー加工などによる印字には限らず、他の方法による表示でもよい。また、上記実施形態では、蓋板３０が透明又は半透明である場合を示したが、例えば刻印３８，７２，１７を設けない場合や、制御基板ケース１の外側から刻印３８，７２，１７を視認できるようにする必要が無い場合には、蓋板３０を透明又は半透明でない材料で構成してもよい。
【符号の説明】
【００３８】
１    制御基板ケース
１０    本体部（本体ケース）
１１    収容部
１１ａ    底面
１１ｂ    ボス部
１２    開口部
１３（１３ａ〜１３ｄ）    側壁
１５    取付片
１６    突出部
１７    刻印部（第１表示部）
１８    操作用孔
２０    中間リブ（第１被係合部）
２１    挿入路（第１挿入部）
３０    蓋板（カバー部材）
３０ｆ    内面
３８    刻印部
４０    上リブ（第２被係合部）
４１    挿入路（第２挿入部）
４２    内側壁
４４    間隙部
４５    下リブ（第２被係合部）
４５ａ    差込口
４６    挿入路（第２挿入部）
４７    内側壁
４８    係止穴
４９    上端辺（係止機構）
５０    制御基板
５１    基板部
５３    回路素子
５５    ネジ
５６    配線
５７    コネクタ
６０    ロック機構
７０    ロックレバー（ロック部材）
７１    下部
７２    刻印部（第２表示部）
７３    凹部
７５    上部
７６    係合爪（係止機構）
１００    工具
【図１】
2013131682.tif 000003
【図２】
2013131682.tif 000004
【図３】
2013131682.tif 000005
【図４】
2013131682.tif 000006
【図５】
2013131682.tif 000007
【図６】
2013131682.tif 000008
【図７】
2013131682.tif 000009
【図８】
2013131682.tif 000010